(57)【要約】【課題】発光部品を隣接するパネルに十分接近させるとともに外部側に露出することを防止することのないようにした遊技機を提供すること。【解決手段】機能毎に分割された複数のパネルを組み立てて一体化するようにした遊技機であって、同パネルとしてのセーフ球集合板７に透孔６１を形成するとともに、隣接する遊技盤３方向に透孔６１を通してＬＥＤが向くようにＬＥＤ基板Ｌを配置し、レバー８３によって押さえ付けて保持する。その際に方形に形成されたＬＥＤ基板Ｌはレバー８３と補強壁８２，８７によって四方から囲まれることとなっている。【選択図】        図１５
2008246247.tif 000002
【特許請求の範囲】
【請求項１】
機能毎に分割された複数のパネルを組み立てて一体化するようにした遊技機であって、
同パネルに対して発光部品を装着して同パネルの電飾をするようにした遊技機において、
前記パネルのうち一のパネルに透孔を形成するとともに、同透孔周縁には前記発光部品
を支持する支持部を形成する一方、同支持部に同発光部品を装着させて同透孔に面した隣
接する他の一のパネル方向に同発光部品に形成した発光部を向けるとともに同発光部が同
支持部と面一の位置からその厚みにかけての範囲に配置されるようにしたことを特徴とす
る遊技機。
【発明の詳細な説明】
【技術分野】
【０００１】
本発明は、パチンコ遊技機やスロットマシン等のように複数のパネルを組み合わせて一
体化して構築するようにした遊技機に関するものである。
【背景技術】
【０００２】
遊技機として従来から親しまれているパチンコ遊技機やスロットマシンはパネル毎に異
なる機能の複数のパネルを組み合わせて製造するようになっている。このような遊技機に
必要とされるパネルとしては具体的に扉枠、遊技盤、遊技機本体、機構盤等が挙げられる
。要はこれら遊技機では各パネル毎に機能を分担させこれらを組み合わせることで結果的
に遊技機として機能し得るようにしているわけである。これらパネルは一般に外枠をベー
スとして前後方向に重ね合わせながら組み立てられ一体化される。
このような構成の遊技機において、各パネルにはそれぞれの機能に応じた各種機能部品
が装着されるようになっている。機能部品として例えば発光部品としてのＬＥＤ基板があ
る。ＬＥＤ基板はその表面に配置されたＬＥＤを発光させてパネルを装飾（いわゆる電飾
）するものである。
ＬＥＤ基板ではＬＥＤ基板が装着されたパネル自身を電飾するためだけではなく、隣接
した他のパネルを電飾するケースがある。これは例えば電飾したい位置に直接ＬＥＤ基板
を装着できなかったり、隣接した他のパネルから電飾させるほうが意匠的効果が大きかっ
たり更にメンテナンスの都合上好ましかったりする場合があるためである。
【発明の開示】
【発明が解決しようとする課題】
【０００３】
しかし、このような隣接した他のパネルを電飾するためにＬＥＤ基板を配設する場合に
生ずる課題として次のようなものがある。
１）当該ＬＥＤ基板をパネルに装着した際にパネル表面に直接貼着したとすれば、ＬＥＤ
が配設されたＬＥＤ基板表面が同パネルの外表面に露出することとなってしまう。これで
はパネルを取り扱う際にＬＥＤ基板が接地面と当たってしまう場合もあってパネルの取り
扱いに支障を来すため好ましくない。
２）そのためにパネルに透孔を形成し、この透孔を通してパネル内部から照明するように
ＬＥＤ基板を配置することが考えられる。
ここでＬＥＤ基板は交換を必要とするケースがあるため一般に着脱可能な構造とされて
いる。着脱可能な構造としては図２５に示すようなＬＥＤ基板装着部（透孔１００）にベ
ース面１０１に対して立設させた（以後、縦方向という）レバー１０２を使用し、同レバ
ー１０２を基部を中心に撓ませることで先端の係合爪１０３によってＬＥＤ基板の縁部を
係止させ隣接するパネル方向にＬＥＤを向けて保持するという構造が最も一般的なものと
して考えられる。
ところが、このような縦方向のレバー１０２では係合爪１０３が先端に位置することか
らＬＥＤ基板をある程度透孔１００から図上上方の離間した位置で保持する場合には問題
はないが透孔１００にごく近接させたり場合によって透孔１００よりも下方位置で保持し
たりしなければならないケースについて応用することは困難であった。
本発明は、このような従来の技術に存在する問題点に着目してなされたものである。そ
の目的とするところは、発光部品を隣接するパネルに十分接近させるとともに外部側に露
出することを防止することのないようにした遊技機を提供することにある。
【課題を解決するための手段】
【０００４】
上記の目的を達成するために、請求項１に記載の発明では、機能毎に分割された複数の
パネルを組み立てて一体化するようにした遊技機であって、同パネルに対して発光部品を
装着して同パネルの電飾をするようにした遊技機において、前記パネルのうち一のパネル
に透孔を形成するとともに、同透孔周縁には前記発光部品を支持する支持部を形成する一
方、同支持部に同発光部品を装着させて同透孔に面した隣接する他の一のパネル方向に同
発光部品に形成した発光部を向けるとともに同発光部が同支持部と面一の位置からその厚
みにかけての範囲に配置されるようにしたことをその要旨とする。
【０００５】
請求項１の発明のような構成では、機能毎に分割された複数のパネルを組み立てて一体
化するようにした遊技機において、一のパネルには隣接する他の一のパネルに面するよう
に透孔を形成し、その透孔周縁位置に発光部品用の支持部を形成する。そして他の一のパ
ネルに発光部が向くように発光部品を支持部にセットする。その際に発光部は支持部と面
一の位置からその厚みにかけての範囲に配置されるものとする。すなわち発光部品は一の
パネルの内側に配置されて発光部は一のパネルから突出することはなく、発光部は隣接す
る他の一のパネルとごく近接した位置に配置されてるため効率的に他の一のパネル側を照
明することとなる。
【発明の効果】
【０００６】
請求項１に記載の発明では、発光部品の発光部は隣接する他の一のパネルとごく近い位
置で発光することが可能となるとともに、支持部から他の一のパネル側に突起することは
ないため一のパネルを取り扱う際に発光部が床面に当たることがなくなって破損のおそれ
がなくなる。
【発明を実施するための最良の形態】
【０００７】
以下、本発明をパチンコ遊技機に応用した実施の形態について図面に基づいて説明する
。尚、以下の説明においては前面、前方或いは表面側とは遊技者が正対する側をいい、後
面、後方或いは背面側とはそれら正対する側の反対側をいう。また、特記なき限り左右と
は前面からみた左右方向をいう。
【０００８】
まず、パチンコ遊技機の構成の概略を説明する。
図１７に示すように、パチンコ遊技機では遊技機本体１を中心としてその他のパネル状
の構成部材がその前後方向に積層状に配置されている。パチンコ機本体１の上半身に形成
された遊技盤取り付けスペース２には遊技盤３が嵌合されている。遊技盤３の前方位置に
は扉枠４及び上部カバープレート５が配設されている。扉枠４にはガラス窓Ｇが嵌合され
ている。上部カバープレート５には上受け皿６が形成されている。遊技盤３の裏面には遊
技盤３からの入賞球（セーフ球）を外部に導く経路が設けられたセーフ球集合板７が配設
されている。
遊技盤３及びセーフ球集合板７（以下、単に集合板７とする）の後方位置にはこれらを
背面から覆うように機構盤９が配設されている。パチンコ機本体１において遊技盤３の下
方位置には下部カバープレート１１が配設されている。下部カバープレート１１は遊技機
本体４に対して固着されている。下部カバープレート１１の裏面にはパチンコ球発射機構
１２が配設されている。下部カバープレート１１には前方に突出形成した下受け皿１４が
形成されている。下受け皿１４の右側方にはパチンコ球発射機構１２に連動する操作ハン
ドル１３が取付けられている。
これら各パネルは主となるパチンコ機本体１を介して額縁状に枠組みされた四角形の木
製外枠１５に装着されている。パチンコ機本体１は木製外枠１５に対して着脱可能に嵌合
されている。
【０００９】
次にこのように構成されるパチンコ遊技機において特に集合板７に装着する発光部品と
してＬＥＤ基板Ｌの装着構造に関して説明する。
まず、集合板７が装着される遊技盤３についての概略を説明する。図５〜７及び図１７
に示すように、遊技盤３は略正方形形状の木製の板体であって、前記のように組み立てら
れる際にパチンコ機本体１の遊技盤取り付けスペース２に嵌合されるものである。図６に
示すように、遊技盤３の前面は遊技面２２とされており、同遊技面２２において発射され
たパチンコ球が落下する遊技領域２３が周囲に配設された区画パネル２４によって区画さ
れている。遊技領域２３と区画パネル２４の境界には内レール２５及び外レール２６が配
設されている。遊技領域２３は遊技盤３がパチンコ遊技機として組み立てられた状態で前
記扉枠４のガラス窓Ｇに正対し、同ガラス窓Ｇを通して前方から目視可能となっている。
尚、釘については図示が省略されている。
【００１０】
図７に示すように、遊技盤３の中央位置には略長方形形状の大開口部２８が透設されて
いる。図５及び図６に示すように、大開口部２８には可変表示装置ユニット２９が装着さ
れている。図６に示すように、可変表示装置ユニット２９が装着された状態で可変表示装
置ユニット２９の一部を構成する表示モニター３０が遊技面２２と略面一となるように配
置され、同表示モニター３０を包囲するように主装飾パネル３１ａ〜３１ｃが配設されて
いる。主装飾パネル３１ａ〜３１ｃ内には図示しないＬＥＤ基板が可変表示装置ユニット
２８の一部として装着済みである。
図７に示すように、大開口部２８の上部左右位置には斜め上方に張り出した耳状開口部
３２が形成されている。図６に示すようにちょうどこの耳状開口部３２に対応する遊技面
２２側位置には上部装飾パネル３３が配設されている。上部装飾パネル３３には風車３４
が配設されている。
図７に示すように、大開口部２８の左右側方位置にはそれぞれ左右対称となる位置に第
１の小開口部３５が透設されている。図６に示すように遊技面２２側のちょうどこの第１
の小開口部３５に対応する位置には中部装飾パネル３７が配設されている。
図７に示すように、大開口部２８の下方位置には左右方向に延出された皿状開口部３８
が透設されている。皿状開口部３８内には図５に示すようにソレノイド等を含む大入賞口
ユニット３９が配設されており、図６に示すように遊技面２２側のちょうどこの皿状開口
部３８に対応する位置には同ユニット３９の一部である大入賞口４０が露出している。
皿状開口部３８の両端における上部位置にはそれぞれ左右対称となる位置に第２の小開
口部４１が透設されている。遊技面２２上の第２の小開口部４１と対応する位置には第２
の装飾パネル４３が配設されている。第２の装飾パネル４３にはそれぞれ上下二段に配設
された普通入賞口４４，４５が配設されている。
皿状開口部３８の中央上部位置には中央入賞口用開口部４７が透設されている。中央入
賞口用開口部４７内には図５に示すようにソレノイド等を含む中央入賞口ユニット４６が
配設されており、図６に示すように遊技面２２側のちょうどこの開口部４７に対応する位
置には同ユニット４６の一部である中央入賞口４８が露出している。
【００１１】
次に、集合板７について説明する。以下の説明において左右とは図１又は図５における
左右方向をいう。
集合板７は前記遊技盤３の可変表示装置ユニット２９を背面側に露出させるために全体
として窓枠状に構成されたプラスチック製（本実施の形態ではＡＢＳ樹脂製）の透明な板
体である。集合板７は下部横架部５０を備え、同下部横架部５０の両端から上方向かって
延出された左右立設部５１，５２とからなる板本体５３と左右立設部上部に配設された上
部横架部５４とから構成されている。板本体５３と上部横架部５４は別体で構成され、使
用時に結合されて集合板７として一体化される。このように上部横架部５４のみを別体と
したのは機種によって板本体５３の構成が変更されるものであるところ、上部横架部５４
のみは共通した基板を装着することができるため上部横架部５４のみを別体として標準化
したものである。図３に示すように、集合板７では遊技盤３の裏面に接する平板状のベー
ス板４９を基準として同ベース板４９から後方（裏面側）に向かって各種構造が突出する
構成とされている。尚、集合板７のすべての構造は一体成形により形成されている。
【００１２】
まず板本体５３について説明する。
図１、図２及び図５に示すように、板本体５３下部を構成する下部横架部５０には中央
に長方形形状の開口部５５が形成されている。開口部５５からは前記遊技盤３に装着され
た大入賞口ユニット３９の背面が露出するようになっている。開口部５５の左右にはそれ
ぞれセーフ球集合部５６が形成されている。図１及び図５に示すように、各セーフ球集合
部５６の上部寄りには第１及び第２のセーフ球通路５７，５８が配設されている。両セー
フ球通路５７，５８の下流位置には同両セーフ球通路５７，５８から落下したセーフ球を
受けて下流に導く案内通路５９が配設されている。案内通路５９の下流には排出通路６０
が形成され、同排出通路６０から図示しない排出トレイに導かれるようになっている。図
５に示すように、両セーフ球通路５７，５８は集合板７が前記遊技盤３に装着された状態
でちょうど前記遊技盤３側の第２の小開口部４１に面して配置され、前記普通入賞口４４
，４５と連通されるようになっている。上方位置にある第１のセーフ球通路５７は上方側
の普通入賞口４４からのセーフ球を通過させ、下方位置にある第２のセーフ球通路５８は
下方側の普通入賞口４５からのセーフ球を通過させる。両セーフ球通路５７，５８に挟ま
れた前記ベース板４９上には略長方形形状の透孔６１が形成され、同透孔６１を包囲する
ように下部ＬＥＤ基板装着部６２が形成されている。下部ＬＥＤ基板装着部６２について
は後述する。
【００１３】
開口部５５の上部位置には第３のセーフ球通路６３が配設されている。第３のセーフ球
通路６３は図１における左方に向かって延出され前記排出通路６０に連通されている。図
５に示すように、第３のセーフ球通路６３は集合板７が前記遊技盤３に装着された状態で
ちょうど前記遊技盤３側の中央入賞口用開口部４７に面して配置され、前記中央入賞口４
８と連通されるようになっている。開口部５５の上部位置であって同第３のセーフ球通路
６３と重複する位置には基板装着スペース６４が形成されている。
左右の排出通路６０の上方には集合板７に装着する基板や可変表示装置ユニット２９等
のケーブルを結束するためのホルダー６５が形成されている。
左右立設部５１，５２の中央位置にはそれぞれ略長方形形状の透孔６１が形成され同透
孔６１を包囲するように中部ＬＥＤ基板装着部６７が形成されている。また、上部位置に
もそれぞれ略長方形形状の透孔６１が形成され、同透孔６１を包囲するように上部ＬＥＤ
基板装着部６８が形成されている。これらＬＥＤ基板装着部６７，６８については後述す
る。
両立設部５１，５２の上端面５１ａ，５２ａは上部横架部５４が設置される設置面とさ
れるとともに同上端面５１ａ，５２ａには両立設部５１，５２の固定用の取り付け孔７１
が形成された係合プレート７３が立設されている。両立設部５１，５２には散点的に集合
板７に装着する基板や可変表示装置ユニット２９等のケーブルを結束するためのホルダー
６５が形成されるとともに上下方向に外郭に略沿った補強リブ７０が形成されている。左
立設部５１には機構盤９を閉塞する際に固定ピン（図示せず）が係合されるピン保持部７
２がベース板４９の上下寄り左端位置に形成されている。
【００１４】
次に上部横架部５４について説明する。
図１、図４及び図５上部横架部５４の中央には図示しない役物中継基板が装着される装
着スペース７７が形成されている。装着スペース７７の左方にはケーブル用通路７８が形
成されている。装着スペース７７の右方ベース板４９上には略長方形形状の透孔６１が形
成され同透孔６１を包囲するように遊技機の外部出力基板を装着するための外部出力基板
用装着部８０が形成されている。同装着部８０の右方ベース板４９上には図示しない扉枠
用中継基板が装着される扉枠用中継基板用装着部７９が形成されている。上部横架部５４
の下部左右両端寄りには一対の固定ピン８１が突設されている。尚、詳しくは省略するが
、装着スペース７７及び外部出力基板用装着部８０も後述するレバー８３と同構造によっ
て基板を保持するようになっている。
このように構成された上部横架部５４は左右立設部５１，５２の上端面５１ａ，５２ａ
上に設置されるとともに固定ピン８１を係合プレート７３の取り付け孔７１に挿通するこ
とで左右立設部５１，５２間に架設支持される。
【００１５】
次に、上記ＬＥＤ基板装着部６２，６７，６８の構造について説明する。
図１７（ａ）及び（ｂ）に示すように、ＬＥＤ基板装着部６２，６７，６８に装着され
る本実施の形態のＬＥＤ基板Ｌは基板表面Ｌａに発光部としてのＬＥＤが配設され、基板
裏面ＬｂからケーブルＣが延出されている。ＬＥＤは基板表面Ｌａからその厚みの分だけ
わずかに突出して配設されている。図１５に示すようにＬＥＤの厚みは前記ベース板４９
の厚みＰよりも薄手とされている。
図１、図２、図５及び図１４に示すように、ＬＥＤ基板装着部６２，６７，６８は透孔
６１の長辺に沿った第１の補強壁８２を備え、同第１の補強壁８２の両端位置を基部とし
て透孔６１方向に一対のレバー８３が片持ち状に延出されている。両レバー８３は対向配
置され、透孔６１の短辺のやや内側を同短辺に沿って直線状に延出されるとともに同ベー
ス板４９の表面（裏面）に対して同ベース板４９に近接した位置で平行に配設されている
。レバー８３の先端には略三角形状の係合部としての係合爪８４が形成されている。係合
爪８４にはテーパ状の案内面８４ａが形成されている。
第１の補強壁８２には同第１の補強壁８２の長手方向に延びる略直方体形状の押さえ部
８５が形成されている。この時係合爪８４の底面８４ｂと押さえ部８５の底面８５ａはベ
ース板４９表面を基準として同一高さ位置に配置されている。透孔６１を挟んで第１の補
強壁８２と対向する位置には第２の補強壁８７が立設されている。すなわち透孔６１は両
レバー８３と第１及び第２の補強壁８２，８７によって四方から包囲されている。透孔６
１内にはセットされたＬＥＤ基板Ｌは二等辺三角形の頂点となる位置に配置された両係合
爪８４と押さえ部８５とによる三点で押さえ付けられることとなる。
透孔６１内にはセットされたＬＥＤ基板Ｌが透孔６１から集合板７の前面側に落ちない
ようにベース板４９の一部としての棚部８６が同透孔６１内に張り出している。支持部と
しての棚部８６はベース板４９裏面と同じ高さ（面一）で同じ厚みとされている。本実施
の形態では棚部８６は例えば図８や図１０に示すようにレバー８３の基部寄りと基板の挿
入方向中央の二等辺三角形の頂点となる三箇所の位置に形成されている。図１５に示すよ
うに、係合爪８４の底面８４ｂ及び押さえ部８５の底面８５ａと棚部８６との間隔Ｑが装
着されるＬＥＤ基板Ｌの厚みと一致する（実際には厚みよりもわずかに大きい）。
【００１６】
ここに図５に示すように下部ＬＥＤ基板装着部６２は集合板７が遊技盤３に装着された
状態で、前記第２の小開口部４１位置に面して配置され第２の装飾パネル４３を裏面より
照明する。同じく中部ＬＥＤ基板装着部６７は第１の小開口部３５位置に面して配置され
中部装飾パネル３７を裏面より照明し、上部ＬＥＤ基板装着部６８は耳状開口部３２位置
に面して配置され上部装飾パネル３３を裏面より照明する。
【００１７】
次に、上記ＬＥＤ基板装着部６２，６７，６８及び外部出力基板用装着部８０にＬＥＤ
基板Ｌを装着する作業について説明する。
ＬＥＤ基板装着部６２，６７，６８についてはいずれもＬＥＤ基板Ｌの装着作業に変わ
りはないため代表としてまず中部ＬＥＤ基板装着部６７に基づいて詳しく説明する。尚、
以下の説明で上下とは図８〜図１０における図の説明における上下方向をいう。
まず、図８及び図１１に示すような装着部６７にＬＥＤ基板Ｌを装着する手順について
説明する。図９に示すように作業者は押さえ部８５と棚部８６の間にＬＥＤ基板Ｌの先端
側を斜めに挿入する。この時、ＬＥＤ基板Ｌの表面Ｌａは透孔６１側、つまり遊技盤３の
第１の小開口部３５側に向いている。また、この段階ではＬＥＤ基板Ｌの後端側はちょう
ど両レバー８３先端の係合爪８４の案内面８４ａ上に配置されることとなる。つまり係合
爪８４が透孔６１内に突出しているため、これが邪魔をして棚部８６上へのＬＥＤ基板Ｌ
の進出ができないようになっている。
この段階で作業者はＬＥＤ基板Ｌの後端側を図上下方（つまりベース板４９方向）に押
圧する。すると、ＬＥＤ基板Ｌはテーパ状に形成された案内面８４ａを押圧するため係合
爪８４が透孔６１から退避する方向（外方）にレバー８３を押圧する力が生じる。これに
よってＬＥＤ基板Ｌは押圧されてレバー８３を基部を中心に下方側に撓ませると同時に図
１２に示すような拡開させる方向に撓ませＬＥＤ基板Ｌの後端側の通過が許容される。
ＬＥＤ基板Ｌが係合爪８４の係合爪８４の底面８４ｂよりも下方に配置されると図１０
及び図１３に示すように両レバー８３は原位置に復帰する。この状態で図１５に示すよう
にＬＥＤ基板Ｌは上方から係合爪８４（の底面８４ｂ）及び押さえ部８５（の底面８５ａ
）の三箇所から押さえられるとともに、下方からは三方から張り出した三箇所の棚部８６
によって支えられることとなる。つまりＬＥＤ基板Ｌの表面Ｌａは棚部８６と面一の位置
に配置されることとなる。
ここに押さえ込む側の三角形（係合爪８４と押さえ部８５）と支持する側の三角形（棚
部８６）とは図１７に示すような交差するような位置関係となっている。透孔６１に面し
て保持されることとなる。
このようにＬＥＤ基板Ｌが透孔６１に面して配置された状態で図１５に示すようにＬＥ
Ｄ基板Ｌの表面Ｌａから突出して配設されているＬＥＤはベース板４９の厚み内に収まっ
て、ベース板４９の表面から遊技盤３側に突出するようなことはない。
このようにＬＥＤ基板Ｌが装着された集合板７を図５に示すように図示しないビスによ
って遊技盤３の裏面に装着する。このとき、ベース板４９の後方（前面側）は平面上に構
成されているため同じく平面上に構成された遊技盤３の裏面に密着する。このようにＬＥ
Ｄ基板Ｌが密着して遊技盤３装着された状態でＬＥＤが透孔６１から第１の小開口部３５
方向を照明することとなる。集合板７は自身の照明のためにＬＥＤ基板Ｌを装着するので
はない。自身の照明とする場合にはこのように前面側にＬＥＤ基板Ｌを配置することはな
い。つまり集合板７は遊技盤３側を照明するため最前線といえるベース板４９位置にＬＥ
Ｄ基板Ｌを配設されるわけである。尚、遊技盤３側を照明するためとはいえ余りに遊技盤
３に接近しすぎる（ここでは照明される中部装飾パネル３７に接近しすぎる）とかえって
ＬＥＤの光が拡散しないので所定距離を保つことは必要となる。
逆にＬＥＤ基板Ｌを中部ＬＥＤ基板装着部６７から取り外す際には作業者はレバー８３
をＬＥＤ基板Ｌの後端側の通過が許容できる位置まで強制的に拡開させ、ＬＥＤ基板Ｌが
通過できるだけの幅を確保して取り出す。
このような作用は他のＬＥＤ基板装着部６２，６８でも同様である。また、ＬＥＤ基板
装着部ではないが外部出力基板用装着部８０においても機能部品として異なるだけでその
着脱の際の作用は同様である。
【００１８】
このように構成することで本実施の形態では次のような効果を奏する。
（１）ＬＥＤ基板Ｌは集合板７への装着状態においてその表面Ｌａに配設されたＬＥＤが
ベース板４９の厚みの範囲に収まるようになっているため、例えば組み立て工程において
集合板７のベース板４９表面が下になるように設置してもＬＥＤが傷ついてしまうことが
ない。
（２）ＬＥＤ基板Ｌは集合板７への装着状態においてその表面Ｌａに配設されたＬＥＤが
ベース板４９の後面（裏面側）よりも前方側に配置されることとなるためより遊技盤３に
接近することが可能となって同じ光量のＬＥＤであればより多量の光で遊技盤３側の装飾
パネル３３，３７，４３を照明することができ照明効果が高くなる。
（３）上記のようなレバー８３ではベース板４９にごく近接した位置でベース板４９の表
面（裏面）に対して水平に延出させているため、ＬＥＤ基板Ｌをベース板４９に密着させ
るようにして（つまり透孔６１を塞ぐように）配設することが可能となっている。その結
果としてＬＥＤをベース板４９の厚み内まで進出するような構造が可能となっている。
（４）ＬＥＤ基板Ｌの基板の厚さやＬＥＤの突出量（ＬＥＤが突出しない場合もある）に
よって若干ＬＥＤ基板Ｌの支持位置について調整しなければならないケースがある。この
場合に基板に沿って片持ちに延出されたレバー８３によってＬＥＤ基板Ｌを押さえるよう
にしているため、ＬＥＤ基板Ｌの支持位置の変更に対応させることがいわゆる縦方向の爪
に比べて容易である。
（５）上記実施の形態ではレバー８３をベース板４９の表面（裏面）に対して水平に延出
させているため集合板７の装着状態でレバー８３が遊技盤３や機構盤９側に突出させるよ
うな設計とはならず、ＬＥＤ基板Ｌのような機能部品を装着するための構造として優れて
いる。
（６）特に他のパネルに比べて薄く遊技盤３と機構盤９の間の狭い空間に配置される集合
板７に対して上記のようなＬＥＤ基板装着部６２，６７，６８及び外部出力基板用装着部
８０を使用することで従来の縦方向のレバーのように遊技盤３と機構盤９側に突出するよ
うに設計をする必要がなくなる。
（７）よりＬＥＤ基板Ｌの保持力を向上させるために係合爪８４を大きくする場合には係
合爪８４をレバー８３の長手方向に沿って長めに設計すればよく、従来のように保持力を
向上させるために複数の縦方向のレバーを設ける必要がないので設計上有利である。
（８）レバー８３は透孔６１に沿って、また、スペースのゆとりがあれば透孔６１から離
間した位置からでも非常に長スパンで片持ちに延出させることが可能である。従って十分
しなりやすく設計することが可能であって、レバー８３が折れたり白化したりしにくくな
る。
（９）従来と違ってベース板４９に極めて近い位置で保持できるため、特に機能部品を装
着するパネルと隣接した他のパネルにその機能部品接近させなければならないケースにお
いては極めて有利である。
（１０）ＬＥＤ基板Ｌのような機能部品にはケーブルが伴うことが多い。従来ではケーブ
ルは特にこのように装着位置において格別のケーブルのための保持手段はなかった。しか
し、このように基板に沿ってレバー８３を延出できるのであればこのレバー８３にケーブ
ルを案内させるようにしてケーブルを保持させることが可能である。このようにすればケ
ーブルが嵩張りにくくなる。
（１１）ＬＥＤ基板Ｌが装着される位置（透孔６１上）では両レバー８３と第１及び第２
の補強壁８２，８７によって四方から包囲されている。従って、内部に保持されているＬ
ＥＤ基板Ｌが保持されるとともに保護されることとなる。特に薄い集合板７では強度の向
上に貢献する。また、透孔６１という強度の低下する部位の周囲を包囲するため効果的な
強度の向上が図られることとなる。
（１２）ＬＥＤ基板Ｌは上下で三点支持されているので無駄なく最低限の支持で最大の保
持効果をあげている。
【００１９】
尚、この発明は、次のように変更して具体化することも可能である。
・上記実施の形態におけるＬＥＤ基板装着部６２，６７，６８の形状及びこれらに装着
されるＬＥＤ基板Ｌの形状は一例であって、他の形状でも良い。実際には上記のようなき
ちんと方形とされたＬＥＤ基板Ｌよりもむしろ異形のＬＥＤ基板とされる例の方が多い。
これは遊技盤に装着される装飾用部品の形状やデザインによってＬＥＤの位置も決定され
、基板の形状もそのような状況を考慮して設計されるため複雑な形状を採らざるを得ない
からである。その場合に異形のＬＥＤ基板Ｌであるほどよりしっかりと透孔６１位置に配
設されなければならないわけである。つまり、異形のＬＥＤ基板Ｌを所定位置にしっかり
装着させるような手段が必要となってくる。
そのため例えば図２０に示すような湾曲した周縁形状のＬＥＤ基板Ｌを上記ＬＥＤ基板
装着部６２，６７，６８の位置に装着する場合には同図に示すようにレバー８３を湾曲さ
せて、ＬＥＤ基板Ｌの円形の側面形状に対応させるように構成してもよい。このようにベ
ース板４９表面に水平に延出されるレバー８３では湾曲した周縁形状のであってもそれに
対応した形状変形させて配置することが容易となる。そして湾曲した周縁のＬＥＤ基板Ｌ
をしっかりと保持することができる。尚、同図における符号は上記実施の形態の部材名称
に対応する。
・上記実施の形態では一対の向かい合ったレバー８３について説明したが、レバー８３
は向かいあってなくともよい。また、レバー８３は一本だけでもよい。
・ＬＥＤ基板Ｌの形状は上記に限定されるものではない。例えばＬＥＤはＬＥＤ基板Ｌの表面Ｌａと面一としてもよい。また、ＬＥＤ基板Ｌの外郭や厚みの変更も自由である。
・ＬＥＤ基板Ｌのケーブルを上記のようにレバー８３に沿って延出させてもよいがこの
際に図２１に示すようにケーブルＣをレバーに密着させるためホルダー９０をレバーに設
けるようにしてもよい。更に図２２に示すようにレバー８３内部ににコネクタ付きのケー
ブルＣを内蔵させることによって基板の取り付け作業における他の基板との連結作業を簡
略化することが可能となる。
図１６に示すように、透孔６１の周囲に遊技盤３の開口部（ここでは第１の小開口部３
５）内に挿入される突出部（ここではフランジ９１）を形成し、このフランジ９１に上記
レバー８３、押さえ部８５、棚部８６、第２の補強壁８７を配設するようにしてもよい。
棚部８６上にＬＥＤ基板Ｌは載置され棚部８６の厚みの範囲内に突出したＬＥＤは収まる
ようになっている。つまり、集合板７のベース板４９からより遊技盤３側に接近させる（
場合によっては開口部内に突出させる）ようにしてＬＥＤの照明効果を高めるような配置
構造とすることも可能である。
・図２３に示すように、ＬＥＤ基板Ｌから図上下方（遊技盤３方向）に長く突出したＬ
ＥＤを透孔６１に面して配置するようにしてもよい。この場合でもＬＥＤはベース板４９
に厚みの範囲に収まるように棚部８６に載置されレバー８３及び押さえ部８５によって保
持されている。
・図２４に示すように、上記実施の形態のようなベース板４９に対して水平に片持ちに
延出されたレバー８３ではなく縦方向のレバー９５の係合爪９６によってＬＥＤ基板Ｌを
保持するようにしてもよい。特にこのようにＬＥＤ基板Ｌから図上下方（遊技盤３方向）
に長く突出したＬＥＤをベース板４９に厚みの範囲に収まるように配置する場合には集合
板７側の透孔６１から離間した位置で保持することが必要となり、かえって縦方向のレバ
ー９５のほうが適している。
・また、発光部品としてはＬＥＤ基板Ｌに限定されることはない。
・上記実施の形態では遊技盤３前面には装飾パネル３３，３５，３７，４３を配置して
いたが、その他の装飾部品、例えばセル板であってもよい。また、これら装飾部品は必ず
しも遊技面２２の表面ではなく若干遊技盤３内部に後退した位置に配置されていてもよい
。
・本実施の形態はいわゆるパチンコ機以外の例えばスロットマシンやパチロットにも応
用可能である。
・他のパネル（遊技盤３、機構盤９、パチンコ機本体１）にＬＥＤ基板装着部６２，６
７，６８及び外部出力基板用装着部８０と同様又は類似の構成を応用することは自由であ
る。
・その他、本発明の趣旨を逸脱しない態様で実施することは自由である。
【００２０】
本発明の目的を達成するために上記実施の形態から把握できるその他の技術的思想につ
いて下記に付記として説明する。
（１）  前記発光部は前記発光部品から突出し、同発光部が前記支持部の厚みの範囲に配
置されるようにした請求項１に記載の遊技機。
（２）前記発光部の前記発光部品からの突出量が多い場合に同発光部が前記支持部の厚み
の範囲に配置されるように底上げ部を前記支持部に設けるようにした請求項１又は付記１
に記載の遊技機。
このようにすることで例えば図２３のようなケースにおいて支持部としてのベース４９
よりも厚く形成した底上げ部となる棚部８６に発光部品としてのＬＥＤ基板Ｌを配置し、
発光部としてのＬＥＤが支持部の厚みの範囲に配置させることが可能となる。
（３）  前記透孔が形成されている前記パネルは遊技盤の背面に配置される遊技盤裏面ユ
ニットである請求項１若しくは付記１又は２のいずれかに記載の遊技機。
遊技盤裏面ユニットとは遊技盤の裏面に配設されて遊技盤から排出されるパチンコ球を
誘導したり遊技盤を照明する発光部品を設けたり、中継基板を設けたり、基板の配線を取
り付けたりする部品である。上記実施の形態ではセーフ球集合板が該当する。セーフ球集
合板は遊技盤の背面に配置されて遊技盤の開口部を通して遊技面に装着した装飾パネルを
照明することが可能である。従って、特にセーフ球集合板の遊技盤の開口部に面した位置
に透孔を形成し、同透孔に本発明の構成で発光部品を装着することで発光部品の効率的な
使用に貢献できる。
またここに中継基板とは遊技盤に装着される各種部品あるいは遊技盤に装着される遊技
部品からの配線が集約されるものであって、上記実施の形態では装着スペース７７に装着
されるものである。
（４）前記発光部品は前記透孔位置に配設されるとともに、同発光部品と接続される中継
基板も装着部位において前記レバーによって保持されることを特徴とする請求項１若しく
は付記１〜３のいずれかに記載の遊技機。
これによって発光部品及びこれに関する中継基板がすべて遊技盤裏面ユニットに同じ装
着手段で集約的に配置されることとなる。
（５）前記遊技盤の背面とセーフ球集合板の前記透孔が形成された前面とは密着する請求
項１若しくは付記１〜４のいずれかに記載の遊技機。
密着することで遊技盤裏面ユニットのねじれに対する強度が増すこととなる。更に、遊
技盤と発光部品との距離もごく安定する。
（６）前記発光部品は遊技盤前面側の開口から着脱できる付記４又は５のいずれかに記載
の遊技機。
これによって発光部品の交換・点検の際に遊技盤裏面ユニットを開放する必要がなく作
業効率が向上する。
（７）前記透孔周縁からは前方に向かって突出部が形成され、同突出部に形成された前記
支持部に前記発光部品を装着するとともに、同突出部は前記遊技盤の開口部から同遊技盤
側に進出している請求項１若しくは付記１〜５６いずれかに記載の遊技機。
これによってより発光部品を遊技盤側に配置させることができ、発光部からの光を無駄
なく遊技盤側に供給することができる。
（８）前記発光部品は前記透孔位置に配設され、同透孔位置には同透孔の外方に基部を有
するとともに同透孔の外郭に沿って片持ち状に延出されるレバーを設け、同レバーは常時
は同レバーに形成された係合部を同透孔位置にセットされた前記発光部品と干渉する位置
に進出させるとともに、同基部を中心として同透孔の外方に向かって撓んで同係合部と同
発光部品とが干渉しない位置に移動可能とした請求項１若しくは付記１〜６のいずれかに
記載の遊技機。
これによって透孔に近接した位置、あるいは透孔内に進出位置で発光部品を同支持部と
面一の位置からその厚みにかけての範囲に配置することが実現できることとなる。
（９）前記係合部は前記レバーの複数箇所に設けられている付記７及び８に記載の遊技機
。
これによって発光部品のより確実な保持が可能となる。係合部とは上記実施の形態にお
ける係合爪８４が相当する。
（１０）  前記レバーは対称位置に一対が配置され、同両レバーの係合部とともに正三角
形又は二等辺三角形の頂点となる位置に前記発光部品を押さえる押さえ部が形成されてい
る付記７〜９のいずれかに記載の遊技機。
これによって最小限の構成で効率よく発光部品を押さえ込むことが可能となる。
（１１）  前記レバーには前記発光部品の同レバーに対する押圧による圧力を分散させ同
レバーに前記透孔の外方に向かって撓ませる方向のベクトル成分を付与する斜状部を形成
した付記７〜１０のいずれかに記載の遊技機。
これによって発光部品によって斜状部を押圧するだけでレバーが退避し、発光部品を装
着スペースに装着させることができるので作業が効率化する。
（１２）  前記レバーはベース面に対して平行に延出されるようにした付記７〜１１のい
ずれかに記載の遊技機。
これによって一般にベース面と平行に配置される基板をレバーが側方から保持得ること
が容易となる。
（１３）  前記レバーは前記発光部品の縁部に沿って延出されるようにした付記７〜１２
のいずれかに記載の遊技機。
これによって発光部品の縁部が非直線形状であってもその形状に対応した形状で延出さ
れるため異形の発光部品であってもしっかりと保持することが可能となる。
（１４）  前記一対の前記レバー及び補強壁によって前記透孔は３方向から包囲されよう
にした付記７〜１３のいずれかに記載の遊技機。
透孔は３方向から包囲されるためこの部分の強度が向上する。
（１５）前記補強壁には対向する第２の補強壁を設けた付記１４に記載の遊技機。
透孔は四方から包囲されるためこの部分の強度が向上する。また完全に包囲することで
発光部品の保護が図られる。
（１６）前記発光部品はベース面に対して斜めに装着できるようにした請求項１若しくは
付記１〜１５のいずれかに記載の遊技機。
これによって遊技盤への照明方向を変更することができる。
（１７）前記発光部品は前記透孔位置に配設され、同透孔位置には同透孔周縁から前記一
のパネル方向に向いて立設されたレバーを設け、同レバーは常時は同レバーに形成された
係合部を同透孔位置にセットされた前記発光部品と干渉する位置に進出させるとともに、
同基部を中心として同透孔の外方に向かって撓んで同係合部と同機能部品とが干渉しない
位置に移動可能とした請求項１若しくは付記１〜６のいずれかに記載の遊技機。
いわゆる縦方向のレバーによって発光部品を支持する場合であって、発光部品が透孔位
置から一のパネル方向に若干離間した位置で保持される場合にはこのように一のパネル方
向に向かって立設されたレバーが適する。
【図面の簡単な説明】
【００２１】
【図１】本発明の実施の形態のセーフ球集合板の背面図。
【図２】同じセーフ球集合板の本体板の斜視図。
【図３】同じセーフ球集合板の本体板の側面図。
【図４】同じセーフ球集合板の上部横架部の背面図。
【図５】同じセーフ球集合板うぃ遊技盤の裏面に装着した状態の背面図。
【図６】本発明の実施の形態の遊技盤の正面図。
【図７】同じ遊技盤の背面図。
【図８】ＬＥＤ基板装着部の斜視図。
【図９】ＬＥＤ基板装着部にＬＥＤ基板を装着している途中の斜視図。
【図１０】ＬＥＤ基板装着部へのＬＥＤ基板の装着が完了した状態の斜視図。
【図１１】ＬＥＤ基板装着部の平面図。
【図１２】ＬＥＤ基板装着部にＬＥＤ基板を装着している途中の平面図。
【図１３】ＬＥＤ基板装着部へのＬＥＤ基板の装着が完了した状態の斜視図。
【図１４】上部横架部の要部斜視図。
【図１５】図１１におけるＡ−Ａ線での断面図。
【図１６】他の実施の形態の図１５の変形例を説明するための断面図。
【図１７】（ａ）はＬＥＤ基板の裏面からの斜視図、（ｂ）は前面からの斜視図。
【図１８】ＬＥＤ基板の保持位置を説明するための説明図。
【図１９】パチンコ遊技機の構成の概略を説明するための分解側面図。
【図２０】他の実施の形態における装着部へのＬＥＤ基板の装着を説明する平面図。
【図２１】他の実施の形態における装着部を説明する斜視図。
【図２２】他の実施の形態における装着部を説明する斜視図。
【図２３】他の実施の形態の図１５の変形例を説明するための断面図。
【図２４】他の実施の形態の図１５の変形例を説明するための断面図。
【図２５】従来の装着部を説明する斜視図。
【符号の説明】
【００２２】
３…遊技盤、７…パネルとしてのセーフ球集合板、６１…装着スペースとしての透孔、
８３…レバー、８４…係合部としての係合爪、８６…支持部としての棚部、Ｌ…発光部品
としてのＬＥＤ基板、ＬＥＤ…発光部。
【図１】
2008246247.tif 000003
【図２】
2008246247.tif 000004
【図３】
2008246247.tif 000005
【図４】
2008246247.tif 000006
【図５】
2008246247.tif 000007
【図６】
2008246247.tif 000008
【図７】
2008246247.tif 000009
【図８】
2008246247.tif 000010
【図９】
2008246247.tif 000011
【図１０】
2008246247.tif 000012
【図１１】
2008246247.tif 000013
【図１２】
2008246247.tif 000014
【図１３】
2008246247.tif 000015
【図１４】
2008246247.tif 000016
【図１５】
2008246247.tif 000017
【図１６】
2008246247.tif 000018
【図１７】
2008246247.tif 000019
【図１８】
2008246247.tif 000020
【図１９】
2008246247.tif 000021
【図２０】
2008246247.tif 000022
【図２１】
2008246247.tif 000023
【図２２】
2008246247.tif 000024
【図２３】
2008246247.tif 000025
【図２４】
2008246247.tif 000026
【図２５】
2008246247.tif 000027